(57)【要約】      （修正有）【課題】左手で携帯電話を保持しつつ、もう片方の手でホイールに代わる座標入力手段による新たな日本語入力・文字種変更・変換候補選択が可能なシステムを提供する。【解決手段】テンキー周囲部に縦長又は横長の１次元のタッチとタッチ点の検知手段、タッチした始点検知手段、タッチ中の点の検知手段、リリース点の検知手段、座標位置に基づく一次元移動量と移動方向を検知する為の一次元移動量と移動方向の検知手段を有し、一次元タッチパッドセンサーをテンキーの左右位置のキャビネット端とテンキー端の間の狭いスペース又は上下のキーとキーの狭い隙間に配し、タッチパッドセンサーを指でタッチし、順又は逆方向へ何れかの方向になぞり、リリースを検知・管理する為の始点検知手段とタッチパッドリリース点の検知手段とリリース点の検知手段と、テンキー操作との操作互換性を維持しつつ日本語英数字入力・変換候補選択・文字種選択手段と全体の制御を行う制御手段を有する。【選択図】図１
0003158369.tif 000002
【実用新案登録請求の範囲】
【請求項１】
０から９までの数字に対応したテンキーと方向キーと決定等のキーを実装した日本語入力が可能な軽薄短小な携帯電話または赤外リモコンのテンキーの周囲部の極めて狭いキーとキャビネットの左右両端又はキーとキーの間の上下のスペースに、変換候補選択の迅速化を目指したホイール回転体と回転機構のリプレースし、軽薄短小化・低コスト化の為に、複数の領域に分割されていない、かつ領域を特定の単一の選択候補に割り当てられていない、狭い幅の直線状タッチを検知を目指した長手方向しかタッチ情報の検知を行わない一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後にタッチパッドから指をリリースし離したリリース点の検知手段３２と、前記の３つの検知手段３０と３１と３２で検知された座標データを記憶するタッチ始点・タッチ中の点・リリース点データ用メモリー４０と、座標メモリーデータに基づき一次元移動量と移動方向の演算を行う為の一次元移動量と移動方向の検知手段４１と、タッチパッドとテンキーのキーからの入力情報を踏まえた連携した表示を行う為の表示手段への表示出力を生成・表示管理する為の表示制御手段３３と、表示を行う表示装置と駆動回路からなる表示手段３３と、テンキー等の押しボタンの検知・管理を行うキーボタンとキー入力手段３４と、キー入力手段・タッチパッド制御手段からの選択・入力情報と日本語入力と表示制御手段の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる携帯電話又は赤外リモコンに実装されたキーボタンを押し、あ行やい行等の行を選択し、テンキー周辺部に設置されたタッチパッド上の始点とタッチ中の点とリリース点から移動量と移動方向を計測し、メモリーに記憶し、上下又は左右へ一次元タッチパッド上をなぞり、表示座標のタッチ点に対応するタッチパッドに対応する文字や文字種や変換候補・予測候補と選択枠又は記しを表示させ、タッチパッド上でタッチ位置を示す枠や記号を上下させ、目当ての文字や文字種や候補を選択し、テンキーのみをベースとする日本語入力システムで求められる打鍵数を大幅に削減し、携帯電話又は赤外リモコンの軽薄短小性やコストを損ねずに、テンキー操作の簡便性・軽快性を実現しつつ、スピーディな日本語入力が可能な事を特徴とする文字入力・変換候補選択システム。
【請求項２】
請求項１に記載の文字入力・変換候補選択システムであって、日本語入力・変換候補選択・文字種選択手段を有し、指で文字種の変更キーボタンを押した後、タッチパッドをタッチし、この指を表示画面へのリアルタイムな表示に基づき、上下又は左右方向へなぞり・リリース離しによりスピーディに文字種の変更が可能なことを特徴とする携帯電話・赤外リモコン用の文字入力・変換候補選択システム。
【請求項３】
請求項１に記載の文字入力・変換候補選択システムであって、日本語入力・変換候補選択・文字種選択手段にて、文字入力し変換を指示した後、タッチパッドをタッチしウインドウを表示させ、タッチしている指を上下又は左右方向へなぞり・リリース離しにより変換候補・変換候補予測ウインドウよりスピーディに前記の候補の選択が順又は逆方向で可能なことを特徴とする携帯電話・赤外リモコン用の文字入力・変換候補選択システム。
【請求項４】
携帯電話又は赤外リモコン用の文字入力・変換候補選択システムであって、静電容量方式の一次元タッチパッドを採用し、上下又は左右方向へ指でなぞり・リリース離しによりスピーディな文字入力や文字種の変更や変換候補・予測候補の選択が可能なことを特徴とする携帯電話・赤外リモコン用の文字入力・変換候補選択システム。
【考案の詳細な説明】
【技術分野】
【０００１】現在、携帯電話や記録装置用の赤外リモコンは、一般家庭や個人に利用されています。携帯電話では、メール作成に、記録装置ではタイトル名の変更に日本語入力・変換候補選択システムが使われている。
【背景技術】
【０００２】現在、携帯電話や記録装置用赤外リモコンでは、０から９までの１０個の押しボタンを利用し、日本語入力を行うテンキーシステムに基づく日本語入力・変換候補選択システムが利用されています。
【考案の開示】
【考案が解決しようとする課題】
【０００３】現在、携帯電話は、個人の情報ツールとしてビジネスマンの情報ツールとして、通話に加え割安な携帯メールが利用されている。また地デジやＢＳ対応ハイビジョン対応薄型テレビの普及を受け、これに対応した記録装置が普及している。これら機器では、ムービー等の外部入力から動画を記録装置に録画するケースも多く、タイトル名の変更がファイル管理の為に重要となる。この場合赤外リモコンによる文字入力が必要となる。
これらの機器の場合、あ行・か行等に対応した０から９までのテンキーを図４の様に１〜１０回を押し分け、１文字のかな等の文字入力を行う必要がある。更に変換候補の選択では、方向キーを何回も押し、任意の変換候補を選択する必要があり利便性が良いとは言えない。
一部の携帯電話では、携帯電話を横長での利用を前提に設計し、手前にスライド式のＱＷＥＲＴＹキーボードブロックをスライド可能な構造の商品の開発も進んでいるが、持ち易く片手での操作も可能な縦長で保持しメール利用するタイプの携帯電話の機種が大半を占めている。更に縦長の携帯電話には、方向キーを兼ねるホイール回転体を具備し、変換候補をホイールで回し、スピーディに変換候補の選択を目指した機種が開発されているが、文字入力にはテンキーを１から正確に１０回まで押し分けるテンキー方式に基づいており文字入力効率・スピードの課題の改善には至っていない上、方向キーを兼ねる回転体と回転機構と回転検知センサーの実装が必要となり、軽薄短小化・低価格化への市場ニーズから爆発的な普及には至っていない。更に携帯電話では、顧客の携帯性向上ニーズと低価格化を受け、軽薄短小化・構造のシンプル化が加速しており、ホイール回転体と回転軸や回転センサーを実装する場合、本体が大きく厚く機構が複雑でコスト高となる。
文字入力の迅速化を目指し、テンキーを含む全ての操作キー部につき、領域に分割されたタッチパッドにて置き換える事も可能であり利便性も向上するが、携帯電話を左手で保持しつつ、左手の親指等を利用し、片手で機器を保持しつつタッチした親指を任意の上下左右へ移動させたメール文の入力は人間工学的に不自然な操作を強いる可能性もありる上、市場ニーズが低価格化を目指しシンプル化が進む中、大型の二次元タッチパッドとこれに対応した多数の端子を有するタッチパッド制御手段を構成するＬＳＩの実装が必用となる。
更にテンキーは、移動先や移動中に於いて短文での入力では簡便であり、テンキーを利用した操作を残しつつ、長文の文章のスピーディな入力に際してテンキーとホイール等の選択手段を利用したソリューションが求められており、左手で携帯電話を保持しつつ、もう片方の手でホイールに代わる座標入力手段による新たな日本語入力・文字種変更・変換候補選択が可能なシステムが求められている。
またＤＶＤ・ＢＤレコーダーやデジカメやビデオカメラ等の記録装置用の赤外リモコンの場合も、録画したタイトルや外部入力したタイトル名の日本語入力にテンキーボタンを利用した方式が利用されている為、利用者の文字入力の効率性・利便性を重視していた設計とは言えず、文字入力効率は苦痛を伴い簡便ではなく、文字入力には労力と時間が掛かりスピーディとは言えない。
【課題を解決するための手段】
【０００４】本考案は、軽薄短小化のニーズが高まり薄さとコンパクトさが求められる携帯電話又は記録装置用の赤外リモコンに於いて、これらの軽薄短小の特長を損なわず且つテンキー操作との操作面での互換性をに維持し、慣れ親しんだテンキーによる操作による短文の入力に加え、文字入力と変換候補の選択と文字種の切替えのＪＯＢをホイール回転体を使わずに効率的にスピーディに行う事が求めれられており、タッチする始点・なぞったタッチ中の点・指をリリースした座標を検知する為の一次元タッチパッドをテンキーの周辺部又は機器の側面のアキスペースに設計するものです。
０から９までの数字に対応したテンキーと方向キーと決定等のキーを実装した日本語入力が可能な軽薄短小な携帯電話または赤外リモコンのテンキーの周囲部の極めて狭いキーとキャビネットの左右両端又はキーとキーの間の上下のスペースに、変換候補選択の迅速化を目指したホイール回転体と回転機構のリプレースし、軽薄短小化・低コスト化の為に、複数の領域に分割されていない、かつ領域を特定の単一の選択候補に割り当てられていない、狭い幅の直線状タッチを検知を目指した長手方向しかタッチ情報の検知を行わない一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後にタッチパッドから指をリリースし離したリリース点の検知手段３２と、前記の３つの検知手段３０と３１と３２で検知された座標データを記憶するタッチ始点・タッチ中の点・リリース点データ用メモリー４０と、座標メモリーデータに基づき一次元移動量と移動方向の演算を行う為の一次元移動量と移動方向の検知手段４１と、タッチパッドとテンキーのキーからの入力情報を踏まえた連携した表示を行う為の表示手段への表示出力を生成・表示管理する為の表示制御手段３３と、表示を行う表示装置と駆動回路からなる表示手段３３と、テンキー等の押しボタンの検知・管理を行うキーボタンとキー入力手段３４と、キー入力手段・タッチパッド制御手段からの選択・入力情報と日本語入力と表示制御手段の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる携帯電話又は赤外リモコンに実装されたキーボタンを押し、あ行やい行等の行を選択し、テンキー周辺部に設置されたタッチパッド上の始点とタッチ中の点とリリース点から移動量と移動方向を計測し、メモリーに記憶し、上下又は左右へ一次元タッチパッド上をなぞり、表示座標のタッチ点に対応するタッチパッドに対応する文字や文字種や変換候補・予測候補と選択枠又は記しを表示させ、タッチパッド上でタッチ位置を示す枠や記号を上下させ、目当ての文字や文字種や候補を選択し、テンキーのみをベースとする日本語入力システムで求められる打鍵数を大幅に削減し、携帯電話又は赤外リモコンの軽薄短小性やコストを損ねずに、テンキー操作の簡便性・軽快性を実現しつつ、スピーディな日本語入力が可能な事を特徴とする文字入力・変換候補選択システムです。
テンキー周囲部に一般的なｘ軸とｙ軸からなる二次元の座標情報を検知するタッチパッドと異なり細長の静電容量を利用した一次元タッチパッドとｘ軸・ｙ軸側の配線を、前記携帯電話又は赤外リモコンの左右のキャビネット端とテンキーの端との間の狭いスペース７又は６又は、当該機器の側面位置に組み込み、タッチパッドを指でタッチし・なぞりリリース（離し）を検知し・管理するもので、テンキー操作との操作互換性を維持しつつ、日本語入力と変換候補選択と文字種の選択の迅速化と効率化を追求するものです。
利用者は、前記のテンキーを押し、あ行やＡＢＣ等の行・グループを選択し、一次元の座標位置の移動方向と移動量を検知するタッチパッドをタッチし、タッチしつつ表示装置に表示される情報を切り替え、これに合わせ順又は逆方向へなぞり・リリース（離す）するとタッチしているなぞり（移動）量となぞり（移動）方向に対応した文字や文字種や変換候補の枠等による選択ができ、何回もキーを正確に押し分けずにスピーディにスマートに文字入力を可能にし、テンキー方式で求められる打鍵数の改善を軽薄短小性とコストを損なわずに実現するものです。
更に文字種の変更に於いても、現在の一般的な携帯電話で、文字種のボタンを平仮名・カタカナ・大文字英字・小文字英字・数字等を一定にループ式切り替えシステムに基づき、文字種変更ボタンで文字種を変更する度に打鍵する必要があり面倒でしたが、本考案による前記のタッチパッドの利用により迅速化が図れる。
更に変換候補の選択に於いても、本考案にて、表示手段と連動しつつ、前記タッチパッドの利用によりテンキー方式の場合の方向キーによる操作との比較で大幅な打鍵数を削減し、スピーディな変換候補選択を目指す。
以上の迅速化・効率化を現在の片手でも入力可能なテンキーシステムによる操作と互換性を図りつつ、縦長に利用する機器に於いてｘ軸方向の検知を行わずｙ軸のみを検知する一次元のタッチパッドと前記の各種回路・手段の内蔵により、コストアップを抑制し、軽薄短小化を実現しつつ、文字入力・変換候補選択の大幅な効率化・スピーディ化を実現するものです。
【考案の効果】
【０００５】本考案は、テンキーを実装した限られた携帯電話や赤外リモコンの外形形状・厚さに於いて、一次元タッチパッドの導入と前記手段の導入により、文字入力と文字種の切替え・変換候補の迅速化を追求するものです。  更に縦長に利用する携帯電話や赤外リモコンに於いて、ｘ軸方向の位置検知を行わず前記タッチパッドの長手方向のｙ軸方向の縦位置のみの検知を行う為の一次元タッチパッドを指でタッチしなぞり・リリースし、始点とタッチ中の点とリリース点の座標を検知し、移動量と移動方向に変換し、活用する為の一次元タッチパッドをテンキーキーボタンの周辺の左右又は横位置に配する事により、従来のテンキーを利用した片手での携帯メールや通話の操作を利用可能にしつつも、長文の携帯メール作成時に於いて両手を使用し、片方の手で当該機器を保持しつつキーボタンを押し、もう片方の手の指で、行内の文字や文字種や変換候補を前記タッチパッド上をタッチしなぞりリリースし、タッチ点の移動に連動させ表示画面を切替え、任意の文字を一つの領域上のタッチパッド上で指をリリースし、文字入力や文字種や変換候補の選択を行い、テンキーシステムの打鍵数の飛躍的な節減によりテンキー操作を前提する機器の軽薄短小性とコストを損ねずに、文字入力のスピーディ化、効率化を追求するものです。
更に同様に片手で文字種のボタンを押し、もう片方の手でタッチパッドを操作し、文字種である平仮名・カタカナ・大文字英字・小文字英字・数字等のモードをタッチパッドにて同様にスピーディに切り替えるものです。更に片方の手でタッチパッドを操作し、指でなぞる（移動）方向となぞる（移動）量をホイールを代替する順・逆方向への一次元タッチパッドで、変換候補表示ウインドウ内の変換候補又は変換予測候補をスピーディな選択を可能にするものです。
【考案を実施するための最良の形態】
【０００６】図１に本考案を実現するための最良の形態について説明します。本考案では、携帯電話での利用する場合、左利きや右利き等の利用者を想定し、テンキーの左右両端のキーとキャビネット端の間の隙間の位置又は当該機器の側面位置に、縦長のタッチパッドを左右計２本又は片側に配し、前記手段にてタッチ始点・タッチ中の点・リリース点を検知し、メモリーに記憶し、指の移動（なぞり）方向と移動（なぞり）量として演算し、タッチ中にタッチに連動させた該当する選択候補等の情報を表示手段に表示させ、スピーディな文字入力を実現させるものです。
【実施例】
【０００７】図５に携帯電話の具体的な実施例について説明します。  本考案を携帯電話に使用する場合は、テンキーを実装した携帯電話のキャビネットのテンキーの外側位置のテンキーボタンとキャビネット左右の両端の間の狭いスペース（左側６又は右側７のいずれか又は両方）又は携帯電話の側面位置に一次元タッチパッドセンサーを実装し、当該機器のテンキーと組み合わせ操作を行うものです。
赤外リモコンの場合は、赤外リモコンのキャビネットのキーレイアウト上の理由からキャビ側面又は、キャビネットのテンキーの上下左右位置にタッチパッドを実装するものです。
【図面の簡単な説明】
【０００８】
【図１】携帯電話の正面から見た外観図にて本考案の説明を行います。
【図２】携帯電話の表示手段の画面を正面から見た表示画面の外観図にて本考案の説明を行います。
【図３】携帯電話の表示手段の画面を正面から見た表示画面の外観図にて本考案の説明を行います。
【図４】テンキーを利用した現在の携帯電話や赤外リモコンに導入されている文字入力システム
【図５】携帯電話の場合のブロック回路図にて本考案の説明を行います。
【図６】記録装置用赤外リモコンを正面から見た外観図にて本考案の説明を行います。
【図７】タッチパッドを利用した携帯電話の文字入力と文字種の変更のフロー図にて本考案の説明を行います。
【符号の説明】
【０００９】１    携帯電話の表示ブロック
２    表示画面
３    決定ボタン
４    方向キー
５    メニューボタンやアドレス帳等の携帯電話のボタン（キー）
６    左側のタッチパッドで、ホイールとして利用する目的の長手方向のタッチしか検知しない一次元タッチパッド、複数の領域に割り当てされていない。
７    右側のタッチパッドで、ホイールとして利用する目的の長手方向のタッチしか検知しない一次元タッチパッド、複数の領域に割り当てされていない。
８    テンキー、０から９の数字や＃・＊キー、仮名や英字を兼ねるボタン（キー）
９    文字種の切替えボタン（キー）
１０  入力・編集テキスト
１１  携帯電話の表示画面、仮名文字入力画面
１２  あ行の場合、タッチパッドをタッチしつつ指を移動しリリースした際に連動して表示される枠が移動する方向
１３  画面に表示される吹き出しウインドウ、あ行の場合の表示例
１４  現在の選択文字、タッチパッドに指を押し当て・なぞり・離していない時点での枠位置
１５  変換候補の選択を説明する為の携帯電話の表示画面
１６  入力中のメール文のテキスト
１７  入力した変換前のテキスト
１８  変換候補・変換予想候補をタッチパッドで選択する際の上下へのタッチ・移動・リリースの場合の選択枠の移動方向
１９  変換候補・変換予想候補
２０  赤外リモコンの電源ボタン
２１  テンキーボタン
２２  チャンネルボタン
２３  方向キー
２４  決定キーボタン
２５  タッチパッドセンサー、長手方向のタッチしか検知しない一次元タッチパッド
２６  タッチパッドを指でタッチしなぞる方向
２７  利用者の指
２８  現在の携帯電話の文字入力用テンキーボタン
２９  テンキーを１から１０回までの押し分けにより携帯電話で取り込まれる文字
３０  始点検知手段
３１  タッチ中の点の検知手段
３２  リリース点の検知手段
３３  表示制御手段と表示手段
３４  キーボタンとキー入力手段
３５  制御手段
３６  タッチパッド制御手段
３７  一次元タッチパッド
３８  メモリー
３９  日本語入力・変換候補選択・文字種選択手段
４０  タッチ点・タッチ中の点・リリース点データ用メモリー
４１  一次元移動量と移動方向の検知手段
４２  スピーディで効率的な文字入力・変換候補選択システム
４３  利用者のキーボタンへの入力行動
４４  利用者によるタッチパッドのタッチ・なぞり・リリース操作
【図１】
0003158369.tif 000003
【図２】
0003158369.tif 000004
【図３】
0003158369.tif 000005
【図４】
0003158369.tif 000006
【図５】
0003158369.tif 000007
【図６】
0003158369.tif 000008
【図７】
0003158369.tif 000009
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
０から９までの数字に対応したテンキーと方向キーと決定等のキーを実装した日本語入力が可能な軽薄短小な携帯電話に、変換候補選択の迅速化を目指したホイール回転体と回転機構のリプレースし、軽薄短小化・低コスト化の為の、複数の領域に分割されていない、かつ領域を特定の単一の選択候補に割り当てられていない、一次元タッチパッドの長手方向しかタッチ情報の検知を行わない、横と縦軸からなる二次元体の平面に於けるｘ軸とｙ軸上の点として定義される座標位置や座標位置の移動量を検知する従来のタッチパッドと異なり、一次元である直線上あるいは曲線上あるいは、前記の携帯電話の方向キー４の周辺部に配置可能な様に直線の前記一次元タッチパッドを曲げＣ文字型又は環状に設計したタッチパッド３７上に於けるタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後に前記タッチパッドから指をリリースし離したリリース点の検知手段３２と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１と、タッチパッドとテンキー等のキーボタン３４からの入力情報を踏まえた連携した表示を行う為の表示手段への表示出力を生成・表示管理する為の表示制御手段３３と、表示を行う表示装置と駆動回路からなる表示手段３３と、テンキー８等の押しボタンの検知・管理を行う前記キーボタンとキー入力手段３４と、前記のキーボタンとキー入力検知手段とタッチパッド制御手段からの選択・入力情報と日本語入力と前記の表示制御手段の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる携帯電話に実装されたキーボタンを押し、あ行やい行等の行を選択し、前記のタッチパッド上の始点とタッチ中の点から移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の識別体あるいは文字・文字種・変換候補・予測候補を左を上下あるいは右方向へ動かし、前記タッチパッドからタッチ中の指のリリース離しにより、目当ての文字・文字種・候補を選択し、テンキーのみをベースとする日本語入力システムで求められる打鍵数を大幅に削減し、携帯電話の軽薄短小性やコストを損ねずに、テンキー操作の簡便性・軽快性を実現しつつ、テンキーとタッチパッドの両方を駆使し、スピーディな日本語入力が可能な事を特徴とする文字入力・変換候補選択システム。
【請求項２】
請求項１に記載の文字入力・変換候補選択システムであって、日本語入力・変換候補選択・文字種選択手段を有し、指で文字種の変更キーボタンを押した後、タッチパッドをタッチし、この指を表示画面へのリアルタイムな表示情報に基づき、上下又は左右方向へなぞり・リリース離しにより、テンキーとタッチパッドの両方を駆使し、低コストかつ、スピーディに文字種のモードの切替え・変更が可能なことを特徴とする携帯電話用の文字入力・変換候補選択システム。
【請求項３】
請求項１に記載の文字入力・変換候補選択システムであって、日本語入力・変換候補選択・文字種選択手段にて、文字入力し変換を指示した後、一次元タッチパッド３７をタッチしウインドウを表示させ、タッチしている指を上下又は左右方向へなぞり・リリース離しにより変換候補・変換候補予測ウインドウより、テンキーとタッチパッドの両方を駆使し、スピーディに前記の候補の選択が順又は逆方向で可能なことを特徴とする携帯電話用の文字入力・変換候補選択システム。
【請求項４】
携帯電話用の文字入力・変換候補選択システムであって、直線又は曲線又はＣ文字型又は環状に設計された静電容量方式の一次元タッチパッドを採用し、上下又は左右方向へ指でタッチ・なぞり・リリース離しにより、テンキー等のボタン３４とタッチパッド３７の両方を駆使し、スピーディな文字入力、文字種の変更、変換候補・予測候補の選択が可能なことを特徴とする携帯電話用の文字入力・変換候補選択システム。
【請求項５】
０から９までの数字に対応したテンキーと方向キーと決定等のキーを実装した日本語入力が可能な軽薄短小な記録装置用のリモコンに、変換候補選択の迅速化を目指したホイール回転体と回転機構のリプレースし、軽薄短小化・低コスト化の為の、複数の領域に分割されていない、かつ領域を特定の単一の選択候補に割り当てられていない、長手方向しかタッチ情報の検知を行わない、横と縦軸からなる二次元体の平面に於けるｘ軸とｙ軸上の点を定義される座標位置や移動量を検知する従来のタッチパッドと異なり、一次元である直線上あるいは曲線状あるいは、直線状の前記一次元タッチパッドの両端を曲げ、方向キー４の周辺部に配置可能な様にＣ文字型又は環状にデザインしたタッチパッド上のタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後に前記のタッチパッド２５から指をリリースし離したリリース点の検知手段３２と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１と、前記のタッチパッド２５とテンキー８等のキー３４からの入力情報を踏まえた連携した表示を行う為の表示手段への表示出力を生成・表示管理する為の表示制御手段３３と、表示を行う表示装置と駆動回路からなる表示手段３３と、前記テンキー等の押しボタン２１の検知・管理を行うキーボタンとキー入力手段３４と、前記のキーボタンとキー入力検知手段とタッチパッド制御手段からの選択・入力情報と前記タッチパッド制御手段３６からの選択・入力情報と日本語入力・変換候補選択・文字種選択手段３９の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる記憶装置用赤外リモコンに実装されたキーボタンを押し、あ行・い行等の行を選択し、前記のタッチパッド上の始点とタッチ中の点から移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の識別体あるいは文字・文字種・変換候補・予測候補を左を上下あるいは右方向へ動かし、前記タッチパッドからタッチ中の指のリリース離しにより、目当ての文字・文字種・候補を選択し、テンキーのみをベースとする日本語入力システムで求められる打鍵数を大幅に削減し、記憶装置用リモコンの軽薄短小性やコストを損ねずに、スピーディな日本語入力が可能な事を特徴とする文字入力・変換候補選択システム。
【請求項６】
請求項５に記載の文字入力・変換候補選択システムであって、日本語入力・変換候補選択・文字種選択手段を有し、指で文字種の変更キーボタンを押した後、一次元タッチパッドをタッチし、この指を表示画面へのリアルタイムな表示に基づき、上下又は左右方向へなぞり・リリース離しにより、テンキーとタッチパッドの両方を駆使し、スピーディに文字種のモードの変更・切り替えが可能なことを特徴とするリモコン用の文字入力・変換候補選択システム。
【請求項７】
請求項５に記載の文字入力・変換候補選択システムであって、日本語入力・変換候補選択・文字種選択手段にて、文字入力し変換を指示した後、一次元タッチパッドをタッチしウインドウを表示させ、タッチしている指を上下又は左右方向へなぞり・リリース離しにより、テンキーとタッチパッドの両方を駆使し、変換候補・変換候補予測ウインドウよりスピーディに前記の候補の選択が順又は逆方向で可能なことを特徴とするリモコン用の文字入力・変換候補選択システム。
【請求項８】
リモコン用の文字入力・変換候補選択システムであって、直線又は曲線又はＣ文字型又は環状に設計された静電容量方式の一次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とするリモコン用の文字入力・変換候補選択システム。
【手続補正２】
【補正対象書類名】明細書
【補正対象項目名】０００４
【補正方法】変更
【補正の内容】
【０００４】本考案は、軽薄短小化のニーズが高まり薄さとコンパクトさが求められる携帯電話又は記録装置用のリモコンに於いて、これらの軽薄短小の特長を損なわず且つテンキー操作との操作面での互換性をに維持し、慣れ親しんだテンキーによる操作による短文の入力に加え、文字入力と変換候補の選択と文字種の切替えのＪＯＢをホイール回転体を使わずに効率的にスピーディに行う事が求めれられており、タッチする始点・なぞったタッチ中の点・指をリリースした位置を検知する為の一次元タッチパッドをテンキーの周辺部又は機器の側面のアキスペースに設計するものです。０から９までの数字に対応したテンキーと方向キーと決定等のキーを実装した日本語入力が可能な軽薄短小な携帯電話またはリモコンのテンキーあるいは方向キーの周囲部に、変換候補選択の迅速化を目指したホイール回転体と回転機構のリプレースし、軽薄短小化・低コスト化の為に、複数の領域に分割されていない、かつ領域を特定の単一の選択候補に割り当てられていない、長手方向の一次元上しかタッチ情報の検知を行わない、従来の二次元上の座標を検知するタッチパッド（二次元タッチパッド）とは異なり、直線上あるいは曲線あるいはである一次元体に於けるタッチ移動量と方向を検知する一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後にタッチパッドから指をリリースし離したリリース点の検知手段３２と、前記の３つの検知手段３０と３１と３２で検知された位置データを記憶するタッチ始点・タッチ中の点・リリース点データ用メモリー４０に基づき一次元移動量と移動方向の演算を行う為の一次元移動量と移動方向の検知手段４１と、タッチパッドとテンキーのキーからの入力情報を踏まえた連携した表示を行う為の表示手段への表示出力を生成・表示管理する為の表示制御手段３３と、表示を行う表示装置と駆動回路からなる表示手段３３と、テンキー等の押しボタンの検知・管理を行うキーボタンとキー入力手段３４と、前記のキーボタンとキー入力検知手段とタッチパッド制御手段からの選択・入力情報とタッチパッド制御手段からの選択・入力情報と日本語入力と表示制御手段の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる携帯電話又はリモコンに実装されたキーボタンを押し、あ行・い行・ＡＢＣグループ等の行・グループを選択し、前記のタッチパッド上の始点とタッチ中の点から移動量と移動方向を計測しメモリーに記憶させつつ、上下又は左右方向へ前記一次元タッチパッドをなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の識別体あるいは文字・文字種・変換候補・予測候補を左を上下あるいは右方向へ動かし、前記タッチパッドからタッチ中の指のリリース離しにより、目当ての文字・文字種・候補を選択し、テンキーのみをベースとする日本語入力システムで求められる打鍵数を大幅に削減し、携帯電話又はリモコンの軽薄短小性やコストを損ねずに、テンキー操作の簡便性・軽快性を実現しつつ、スピーディな日本語入力が可能な事を特徴とする文字入力・変換候補選択システムです。テンキー周囲部に従来の静電容量を利用した、横と縦軸からなる二次元体の平面に於けるｘ軸とｙ軸上の点を定義される座標位置や移動量や方向を検知する従来のタッチパッドと異なり、一次元である直線上あるいは曲線上に於けるタッチ始点とタッチ中の移動点・指リリース点の間の移動量と順あるいは逆方向を検知する前記一次元タッチパッドを、前記携帯電話又はリモコンの左右のキャビネット端とテンキーの端との間の狭いスペース７又は６又は、当該機器の側面位置等に組み込み、タッチパッドを指でタッチし・なぞりリリース（離し）を検知し・管理するもので、テンキー操作との操作互換性を維持しつつ、日本語入力と変換候補選択と文字種の選択の迅速化と効率化を追求するものです。利用者は、前記のテンキーを押し、あ行・ＡＢＣ等の行・グループを選択し、一次元の位置の移動方向と移動量を検知するタッチパッドをタッチし、タッチしつつ表示装置に表示される情報を切り替え、これに合わせ順又は逆方向へなぞり・リリース（離す）するとタッチしているなぞり（移動）量となぞり（移動）方向に対応した文字・文字種・変換候補の枠等による選択ができ、何回もキーを正確に押し分けずにスピーディにスマートに文字入力を可能にし、テンキー方式で求められる打鍵数の改善を軽薄短小性とコストを損なわずに実現するものです。更に文字種の変更に於いても、現在の一般的な携帯電話で、文字種のボタンを平仮名・カタカナ・大文字英字・小文字英字・数字等を一定にループ式切り替えシステムに基づき、文字種変更ボタンで文字種を変更する度に打鍵する必要があり面倒でしたが、本考案による前記のタッチパッドの利用により迅速化が図れる。更に変換候補の選択に於いても、本考案にて、表示手段と連動しつつ、前記タッチパッドの利用によりテンキー方式の場合の方向キーによる操作との比較で大幅な打鍵数を削減し、スピーディな変換候補選択を目指す。以上の迅速化・効率化を現在の片手でも入力可能なテンキーシステムによる操作と互換性を図りつつ、縦長に利用する機器に於いてｘ軸方向の検知を行わずｙ軸のみを検知する一次元のタッチパッドと前記の各種回路・手段の内蔵により、コストアップを抑制し、軽薄短小化を実現しつつ、文字入力・変換候補選択の大幅な効率化・スピーディ化を実現するものです。更に直線や曲線の一次元タッチパッドのデザインが困難な場合は、携帯電話又はリモコンの方向キーの周辺位置に、直線状の一次元タッチパッドの両端を曲げ、Ｃ文字型あるいは環状に設計する事により、文字入力・変換候補選択・文字種の選択の効率化・スピーディ化を実現するものです。
【手続補正３】
【補正対象書類名】明細書
【補正対象項目名】０００８
【補正方法】変更
【補正の内容】
【０００８】
【図１】携帯電話の正面から見た外観図にて本考案の説明を行います。
【図２】携帯電話の表示手段の画面を正面から見た表示画面の外観図にて本考案の説明を行います。
【図３】携帯電話の表示手段の画面を正面から見た表示画面の外観図にて本考案の説明を行います。
【図４】テンキーを利用した現在の携帯電話や赤外リモコンに導入されている文字入力システム
【図５】携帯電話の場合のブロック回路図にて本考案の説明を行います。
【図６】記録装置用赤外リモコンを正面から見た外観図にて本考案の説明を行います。
【図７】タッチパッドを利用した携帯電話の文字入力と文字種の変更のフロー図にて本考案の説明を行います。
【図８】直線形状の一次元タッチパッドの外観図にて本考案の説明を行います。
【図９】直線形状の一次元タッチパッドの両終端を曲線に変形した一次元タッチパッドの外観図にて本考案の説明を行います。
【図１０】直線形状の一次元タッチパッドの両終端をＣ文字型に変形した一次元タッチパッド外観図にて本考案の説明を行います。
【手続補正４】
【補正対象書類名】明細書
【補正対象項目名】０００９
【補正方法】変更
【補正の内容】
【０００９】  １  携帯電話の表示ブロック  ２  表示画面  ３  決定ボタン  ４  方向キー  ５  メニューボタンやアドレス帳等の携帯電話のボタン（キー）  ６  一次元タッチパッドで、長手方向のタッチしか検知しない一次元タッチパッド、複数の領域に割り当てされていない二次元タッチパッドと異なるタッチパッド。  ７  一次元タッチパッドで、長手方向のタッチしか検知しない一次元タッチパッド、複数の領域に割り当てされていない二次元タッチパッドと異なるタッチパッド。  ８  テンキー、０から９の数字や＃・＊キー、仮名や英字を兼ねるボタン（キー）  ９  文字種の切替えボタン（キー）１０  入力・編集テキスト１１  携帯電話の表示画面、仮名文字入力画面１２  あ行の場合、タッチパッドをタッチしつつ指を移動しリリースした際に連動して表示される枠が移動する方向１３  画面に表示される吹き出しウインドウ、あ行の場合の表示例１４  現在の選択文字、タッチパッドに指を押し当て・なぞり・離していない時点での枠位置１５  変換候補の選択を説明する為の携帯電話の表示画面１６  入力中のメール文のテキスト１７  入力した変換前のテキスト１８  変換候補・変換予想候補をタッチパッドで選択する際の上下へのタッチ・移動・リリースの場合の選択枠の移動方向１９  変換候補・変換予想候補２０  赤外リモコンの電源ボタン２１  テンキーボタン２２  チャンネルボタン２３  方向キー２４  決定キーボタン２５  タッチパッドセンサー、長手方向のタッチしか検知しない一次元タッチパッド２６  タッチパッドを指でタッチしなぞる方向２７  利用者の指２８  現在の携帯電話の文字入力用テンキーボタン２９  テンキーを１から１０回までの押し分けにより携帯電話で取り込まれる文字３０  始点検知手段３１  タッチ中の点の検知手段３２  リリース点の検知手段３３  表示制御手段と表示手段３４  キーボタンとキー入力手段３５  制御手段３６  タッチパッド制御手段３７  一次元タッチパッド３８  メモリー３９  日本語入力・変換候補選択・文字種選択手段４０  タッチ点・タッチ中の点・リリース点データ用メモリー４１  一次元移動量と移動方向の検知手段４２  スピーディで効率的な文字入力・変換候補選択システム４３  利用者のキーボタンへの入力行動４４  利用者によるタッチパッドのタッチ・なぞり・リリース操作４５  二次元タッチパッドのＹ軸方向の軸４６  二次元タッチパッドのＸ軸方向の軸４７  一次元タッチパッドで構造的に検知しない座標位置４８  一次元タッチパッドで構造的に検知可能な一次元位置４９  一次元タッチパッド上に於ける検知可能なタッチ移動量と移動方向５０  一次元タッチパッド上に於いて検知できないタッチ移動量と移動方向
【手続補正６】
【補正対象書類名】図面
【補正対象項目名】図８
【補正方法】追加
【補正の内容】
【図８】
0003158369.tif 000010
【手続補正７】
【補正対象書類名】図面
【補正対象項目名】図９
【補正方法】追加
【補正の内容】
【図９】
0003158369.tif 000011
【手続補正８】
【補正対象書類名】図面
【補正対象項目名】図１０
【補正方法】追加
【補正の内容】
【図１０】
0003158369.tif 000012
【手続補正書】
【提出日】平成21年7月22日(2009.7.22)
【手続補正１】
【補正対象書類名】実用新案登録請求の範囲
【補正対象項目名】全文
【補正方法】変更
【補正の内容】
【実用新案登録請求の範囲】
【請求項１】
０から９までの数字に対応したテンキーと方向キーと決定等のキーを実装した日本語入力が可能な軽薄短小な携帯電話に、変換候補選択の迅速化を目指した携帯電話用のホイール回転体と回転機構のリプレースを目指し、軽薄短小化・低コスト化の為の、複数の領域に分割されていない、かつ領域を特定の単一の選択候補に割り当てられていない、一次元タッチパッドの長手方向しかタッチ情報の検知を行わない、横と縦軸からなる二次元体の平面に於けるｘ軸とｙ軸上の点として定義される座標位置や座標位置の移動量を検知する従来のタッチパッドと異なり、一次元である直線状あるいは、前記の携帯電話の方向キー４の周辺部に配置可能な様に直線の前記一次元タッチパッドの両端を曲げた曲線状あるいはＣ文字型又は環状に設計した、タッチパッド３７上に於けるタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示制御手段と連動させるタッチ中の点の検知手段３１と、タッチした後に前記タッチパッドから指をリリースし離したリリース点の検知手段３２あるいはタッチ中の点とリリース点の両者の検知を行う手段と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１と、一次元タッチパッドとテンキー等のキーボタン３４からの入力情報を踏まえた連携した表示・表示切替を行う為の表示手段への表示出力を生成・表示管理する為の表示制御手段３３と、表示を行う表示装置と駆動回路からなる表示手段３３と、テンキー８等の押しボタンの検知・管理を行う前記キーボタンとキー入力手段３４と、前記のキーボタンとキー入力検知手段とタッチパッド制御手段からの選択・入力情報と日本語入力と前記の表示制御手段の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる携帯電話に実装されたキーボタンを押し、あ行やい行等の行を選択し、前記のタッチパッド上の始点とタッチ中の点から移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の前記識別体あるいは文字・文字種・変換候補・予測候補を表示画面で左右あるいは上下方向へ動かし、前記タッチパッドからタッチ中の指のリリース離しにより、目当ての行内の文字・文字種・変換予測を含む変換候補を順あるいは逆方向にて選択し、テンキーのみをベースとする日本語入力システムで求められる打鍵数を大幅に削減し、携帯電話の軽薄短小性やコストを損ねずに、テンキー操作の簡便性・軽快性を実現しつつ、テンキーとタッチパッドの両方を駆使し、スピーディな日本語入力が可能な事を特徴とする文字入力・変換候補選択システム。
【請求項２】
請求項１に記載の文字入力・変換候補選択システムであって、請求項１に記載の一次元タッチパッド上に、前記タッチパッドへのタッチなぞりによる表示される画面表示の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とする携帯電話用の文字入力・変換候補選択システム。
【請求項３】
携帯電話用の文字入力・変換候補選択システムであって、一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後に前記のタッチパッド２５から指をリリースし離したリリース点の検知手段３２あるいはタッチ中の点とリリース点の両者の検知を行い手段と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１を有し、メール文の入力・編集とメール画面のスクロール機能を有する日本語入力・変換候補選択・文字種選択手段３９にてタッチパッドからのタッチ・なぞり・リリース情報を一次元移動量と移動方向の検知手段４１から受け、入力編集中のメール文を記憶したメモリー３８のデータに基づき、画面のスクロール制御を行い、前記一次元タッチパッドを上下又は左右方向へ指でタッチ・なぞり・リリース離しにより、表示画面のスピーディなスクロールが可能なことを特徴とする携帯電話用の文字入力・変換候補選択システム。
【請求項４】
携帯電話用の文字入力・変換候補選択システムであって、請求項１に記載の直線状又は、それを曲げた曲線又はＣ文字型又は環状に設計された形状の静電容量方式の一次元タッチパッドあるいは、前記のタッチパッドの短手方向に誤検知対策等の理由から短手方向で僅かな位置の検知機能しか有さない、主として前記タッチパッドの長手方向の検知を狙いとする二次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とする携帯電話用の文字入力・変換候補選択システム。
【請求項５】
０から９までの数字に対応したテンキーと方向キーと決定等のキーを実装した日本語入力が可能な軽薄短小な記録装置用のリモコンに、変換候補選択の迅速化を目指したホイール回転体と回転機構のリプレースし、軽薄短小化・低コスト化の為の、複数の領域に分割されていない、かつ領域を特定の単一の選択候補に割り当てられていない、長手方向しかタッチ情報の検知を行わない、横と縦軸からなる二次元体の平面に於けるｘ軸とｙ軸上の点を定義される座標位置や移動量を検知する従来のタッチパッドと異なり、一次元である直線状あるいは、直線状の前記一次元タッチパッドの両端を曲げた曲線状あるいは、方向キー４の周辺部に配置可能な様にＣ文字型又は環状にデザインした、タッチパッド上のタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ後にタッチ中に移動している点をリアルタイムで検知し表示制御手段と連動させるタッチ中の点の検知手段３１と、タッチした後に前記のタッチパッド２５から指をリリースし離したリリース点の検知手段３２あるいはタッチ中の点とリリース点の両者の検知を行う手段と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１と、前記のタッチパッド２５とテンキー８等のキー３４からの入力情報を踏まえた連携した表示を行う為の表示手段への表示出力を生成・表示管理する為の表示制御手段３３と、表示を行う表示装置と駆動回路からなる表示手段３３と、前記テンキー等の押しボタン２１の検知・管理を行うキーボタンとキー入力手段３４と、前記のキーボタンとキー入力検知手段とタッチパッド制御手段からの選択・入力情報と前記タッチパッド制御手段３６からの選択・入力情報と日本語入力・変換候補選択・文字種選択手段３９の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる記憶装置用赤外リモコンに実装されたキーボタンを押し、あ行・い行等の行を選択し、前記のタッチパッド上の始点とタッチ中の点から移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体を表示画面にリアルタイムに表示し切り替え、前記のタッチパッド上でタッチ中の現在の選択中の枠・記し・背景色等の前記識別体あるいは文字・文字種・変換候補・予測候補を上下あるいは左右方向へ動かし、前記タッチパッドからタッチ中の指のリリース離しにより、目当ての文字・文字種・候補予測を含む変換候補を順あるいは逆方向にて選択し、テンキーのみをベースとする日本語入力システムで求められる打鍵数を大幅に削減し、記録装置用リモコンの軽薄短小性やコストを損ねずに、スピーディな日本語入力が可能な事を特徴とする文字入力・変換候補選択システム。
【請求項６】
請求項５に記載の文字入力・変換候補選択システムであって、請求項５に記載の一次元タッチパッド上に、前記タッチパッドへのタッチなぞりにより表示される画面表示の切り替えに対応した移動量に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とするリモコン用文字入力・変換候補選択システム。
【請求項７】
リモコン用の文字入力・変換候補選択システムであって、請求項５に記載の直線状又は、それを曲げた曲線又はＣ文字型又は環状に設計された形状の静電容量方式の一次元タッチパッドあるいは、前記のタッチパッドの短手方向に誤操作対策等の為、短手方向に僅かな位置の検知機能しか有さない、主として前記タッチパッドの長手方向の検知を狙いとする二次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とするリモコン用の文字入力・変換候補選択システム。
【手続補正２】
【補正対象書類名】明細書
【補正対象項目名】０００６
【補正方法】変更
【補正の内容】
【０００６】図１に本考案を実現するための最良の形態について説明します。本考案では、携帯電話での利用する場合、左利きや右利き等の利用者を想定し、テンキーの左右両端のキーとキャビネット端とテンキーの間の隙間の位置又は前記携帯電話の側面位置に、縦長のタッチパッドを左右計２本又は片側に配し、前記手段にてタッチ始点・タッチ中の点・リリース点を検知し、メモリーに記憶し、指の移動（なぞり）方向と移動（なぞり）量として演算し、タッチ中にタッチに連動させた表示画面への表示を切替え、該当する選択候補等の情報を表示手段に表示させ、スピーディな文字入力を実現させるものです。一次元タッチパッドを、利便性を高め、よりスピーディにタッチなぞりを行う為に、前記一次元タッチパッドの表面に画面表示の切替えに対応した一定間隔の位置に、突起あるいは凹凸を形成し、利用者が指でなぞった際に、指の触覚で突起あるいは凹凸の数をカウントさせ、タッチ・なぞりの移動量を適切に操作させ、狙った文字・文字種・変換候補の選択をスピーディにさせるものです。一次元タッチパッドの表面に一定間隔で突起又は凹凸を形成し、指で突起又は凹凸のある前記タッチパッド上をなぞり、前記の一次元タッチパッドの長手方向を指のなぞった移動量を前記の凹凸・突起の数でなぞり量を利用者が触覚にて確認できる事を目指す。一次元タッチパッド上に、一次元タッチパッドへのタッチなぞりによる表示される画面表示の切り替えに対応した間隔に相当するタッチパッド上の移動量に対応した一定間隔の位置に、突起あるいは凹凸を形成し、指で突起あるいは凹凸を形成したタッチパッド上をなぞり、一次元タッチパッドの長手方向を指でなぞった移動量を突起あるいは凹凸の数から、なぞり量を触覚で利用者が確認でき、スピーディな文字入力が可能なる事を特徴とする携帯電話用の文字入力・変換候補選択システム。一次元タッチパッドに於ける直線状又は、それを曲げた曲線又はＣ文字型又は環状に設計された形状の静電容量方式の一次元タッチパッドあるいは、前記のタッチパッドの短手方向に誤操作等の設計マージンの理由から僅かな位置の検知機能しか有さない、主として前記タッチパッドの長手方向の検知を狙いとする二次元タッチパッドです。一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後に前記のタッチパッド２５から指をリリースし離したリリース点の検知手段３２あるいはタッチ中の点とリリース点の両者の見地を行い手段と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１を有し、メール文の入力・編集とメール画面のスクロール機能を有する日本語入力・変換候補選択・文字種選択手段３９にてタッチパッドからのタッチ・なぞり・リリース情報を一次元移動量と移動方向の検知手段４１から受け、入力編集中のメール文を記憶したメモリーのデータに基づき、画面のスクロール制御を行い、前記一次元タッチパッドを上下又は左右方向へ指でタッチ・なぞり・リリース離しにより、表示画面のスピーディなスクロールが可能となる。
【手続補正３】
【補正対象書類名】明細書
【補正対象項目名】０００５
【補正方法】変更
【補正の内容】
【０００５】本考案は、テンキーを実装し、限られた携帯電話やリモコンの外形形状・厚さに於いて、一次元タッチパッドの導入と前記の各種の手段の導入により、文字入力と文字種の切替え・変換候補の迅速化を追求するものです。  更に縦長に利用する携帯電話やリモコンに於いて、短手方向の位置検知を行わず前記タッチパッドの長手方向のみ検知を行う為の一次元タッチパッドを指でタッチしなぞり・リリースし、始点とタッチ中の点とリリース点の位置を検知し、移動量と移動方向に変換し、活用する為の一次元タッチパッドをテンキーキーボタンの周辺の左右又は横位置に配する事により、従来のテンキーを利用した片手での携帯メールや通話の操作を利用可能にしつつも、長文の携帯メール作成時に於いて両手を使用し、片方の手で当該機器を保持しつつキーボタンを押し、もう片方の手の指で、行内の文字や文字種や変換候補を前記タッチパッド上をタッチしなぞりリリースし、タッチ点の移動に連動させ表示画面を切替え、任意の文字に対応したタッチパッド上で指をリリースし、文字入力や文字種や変換候補の選択を行い、テンキーシステムの打鍵数の飛躍的な節減によりテンキー操作を前提する機器の軽薄短小性とコストを損ねずに、文字入力のスピーディ化、効率化を追求するものです。更に文字入力に際しては、制御手段により前記一次元タッチパッドからのタッチ・なぞりにより、メール文の画面のスクロールをスピーディ且つスマートに行うものです。更に同様に片手で文字種のボタンを押し、もう片方の手でタッチパッドを操作し、文字種モードをタッチパッドにて同様にスピーディに切り替える、片方の手でタッチパッドを操作し、指でなぞる（移動）方向となぞる（移動）量を一次元タッチパッドで、変換候補表示ウインドウ内の変換候補又は変換予測候補をスピーディな選択を可能にするものです。更にタッチパッド上を上下あるいは左右へタッチ・なぞり・リリースによりスピーディにメール文の表示画面のスクロールが可能となる。
【手続補正４】
【補正対象書類名】明細書
【補正対象項目名】０００３
【補正方法】変更
【補正の内容】
【０００３】現在、携帯電話は、個人の情報ツールとしてビジネスマンの情報ツールとして、通話に加え割安な携帯メールが利用されている。また地デジやＢＳ対応ハイビジョン対応薄型テレビの普及を受け、これに対応した記録装置が普及している。これら機器では、ムービー等の外部入力から動画を記録装置に録画するケースも多く、タイトル名の変更がファイル管理の為に重要となる。この場合赤外リモコンによる文字入力が必要となる。これらの機器の場合、あ行・か行等に対応した０から９までのテンキーを図４の様に１〜１０回を押し分け、１文字のかな等の文字入力を行う必要がある。更に変換候補の選択では、方向キーを何回も押し、任意の変換候補を選択する必要があり利便性が良いとは言えない。一部の携帯電話では、携帯電話を横長での利用を前提に設計し、手前にスライド式のＱＷＥＲＴＹキーボードブロックをスライド可能な構造の商品の開発も進んでいるが、携帯性により優れた持ち易く片手での操作も可能なテンキーと方向キーをベースとする縦長で保持しメール利用するタイプの携帯電話の機種が大半を占めている。更に縦長の携帯電話には、方向キーを兼ねるホイール回転体を具備し、変換候補をホイールで回し、スピーディに変換候補の選択を日指した機種が開発されているが、文字入力にはテンキーを１から正確に１０回まで押し分けるテンキー方式に基づいており文字入力効率・スピードの課題の改善には至っていない上、方向キーを兼ねるホイール回転体と回転機構と回転検知センサーの実装が必要となり、軽薄短小化・低価格化への市場ニーズから爆発的な普及には至っていない。更に携帯電話では、顧客の携帯性向上ニーズと低価格化を受け、軽薄短小化・構造のシンプル化が加速しており、ホイール回転体と回転軸や回転センサーを実装する場合、本体が大きく厚く機構が複雑でコスト高となる。文字入力の迅速化を目指し、テンキーを含む全ての操作キー部につき、領域に分割されたタッチパッドにて置き替え、表示手段との一体化する事も可能であり、機能や利便性も向上するが、携帯電話を左手で保持しつつ、左手の親指等を利用し、片手で機器を保持しつつタッチした親指を任意の上下左右へ移動させたメール文の入力は人間工学的に不自然な操作を強いる可能性もありる上、市場ニーズが低価格化を目指しシンプル化が進む中、大型の二次元タッチパッドとこれに対応した多数の端子を有するタッチパッド制御手段を構成するＬＳＩの実装が必用となる。更にテンキーは、移動先や移動中に於いて短文での入力では簡便であり、テンキーを利用した操作を残しつつ、長文の文章のスピーディな入力に際してテンキーとホイール等の選択手段を利用したソリューションが求められており、長文入力時に左手で携帯電話を保持しつつ、もう片方の手でホイールに代わる位置情報の入力手段による新たな日本語入力・文字種変更・変換候補選択が可能な、狭い幅スペースに実装可能なスリムな帯状の検知システムが求められている。ＨＤＤレコーダー等の記録装置用の赤外リモコンの場合も、録画したタイトルや外部入力したタイトル名の日本語入力にテンキーを利用した方式が利用されている為、タイトル名の変更機能が記録装置の主たる機能でないことから利用者の文字入力・タイトル名の編集の効率性・利便性を重視していた設計とは言えず、文字入力効率は苦痛を伴い簡便ではなく、文字入力には労力と時間が掛かりスピーディとは言えない。タッチパッドは、ノートＰＣ用のポインティングデバイスとしてｘ軸とｙ軸からなる二次元上の座標上の始点と移動量を検知する平板状のセンサーとして開発され、携帯型情報機器に於いて表示装置と二次元タッチパッドが一体化され、利便性の高い・価格の高い高機能商品が開発されている。しかし、二次元タッチパッドをリモコン・携帯電話といった商品に搭載する場合、専用の表示装置との組み合わせが必要となる上、ｘ軸とｙ軸方向のタッチ位置の座標位置と移動量を検知する為にタッチパッド制御手段を構成する多端子の入出力の制御ＬＳＩの実装・配線が必要となり、コストが大幅にアップする上、軽薄短小化に逆行する為、ハイエンドの機種に限定的にしか商品化されていない。従い、携帯電話や普及価格の記録装置用のリモコンへのタッチパッドを採用する上では、一部の携帯電話に装備されている方向キーを兼ねるホイール回転体の回転軸やホイールやセンサーのリプレースを目指し、軽薄短小化された携帯電話やリモコンに、文字や文字種・変換候補のスピーディでスマートな選択機能が、低コストと軽薄短小と、デザインフレキシビリティ向上によるデザイン性向上の維持・発展が求められる。本考案は、従来の座標と移動量を検知する二次元タッチパッドの常識を覆し、低コスト・軽薄短小性・デザインフレキシビリティ、操作上の利便性、文字入力効率等の全ての特長の維持・発展・進化を実現させた一次元タッチパッドを採用したシステムが求められている。
【手続補正書】
【提出日】平成21年7月30日(2009.7.30)
【手続補正１】
【補正対象書類名】実用新案登録請求の範囲
【補正対象項目名】請求項１
【補正方法】変更
【補正の内容】
【請求項１】
０から９までの数字に対応したテンキーと方向キーと決定等のキーを実装した日本語入力が可能な軽薄短小な携帯電話に、変換候補選択の迅速化を目指した携帯電話用のホイール回転体と回転機構のリプレースを目指し、軽薄短小化・低コスト化の為の、複数の領域に分割されていない、かつ領域を特定の単一の選択候補に割り当てられていない、一次元タッチパッドの長手方向しかタッチ情報の検知を行わない、横と縦軸からなる二次元体の平面に於けるｘ軸とｙ軸上の点として定義される座標位置や座標位置の移動量を検知する従来のタッチパッドと異なり、一次元である直線状あるいは、前記の携帯電話の方向キー４の周辺部に配置可能な様に直線の前記一次元タッチパッドの両端を曲げた曲線状あるいはＣ文字型又は環状に設計した、タッチパッド３７上に於けるタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ中になぞり・移動している点をリアルタイムで検知しこれに対応した文字・文字種・変換候補の選択候補の表示とこれと連動させた表示切替を表示制御手段に指示するタッチ中の点の検知手段３１と、前記タッチパッドから指をリリースし離したリリース点の始点からの移動方向と移動量を一次元移動量と移動方向の検知手段４１にて演算し、文字・文字種・変換候補の選択候補から選択を行うリリース点の検知手段３２、あるいはタッチ中の点とリリース点の両者の検知を兼ねる手段と、前記の３つの検知手段３０と３１と３２で検知されたデータを記憶するタッチ始点・タッチ中の点・リリース点データ用メモリー４０、これに基づき一次元移動量と移動方向の演算を行う為の一次元移動量と移動方向の検知手段４１と、タッチ中の点の検知手段３１とテンキー等のキーボタン３４からの入力情報を踏まえた前記選択候補に連携した表示・表示切替を行う為の表示手段への表示出力を生成・表示管理する為の表示制御手段３３と、表示を行う表示装置と駆動回路からなる表示手段３３と、テンキー８等の押しボタンの検知・管理を行う前記キーボタンとキー入力手段３４と、前記のキーボタンとキー入力検知手段とリリース点の検知手段３２からの選択・入力情報と日本語入力と前記タッチパッドの管理と前記の表示制御手段の管理を行う制御手段３５と、日本語・英数字・記号からなる文字情報を入力・漢字等に変換・文字種の選択を行う日本語入力・変換候補選択・文字種選択手段３９と、入力テキスト等を記憶するメモリー３８から構成される文字入力・変換候補選択システムに於いて、片手で０から９からなる携帯電話に実装されたキーボタンを押し、あ行やい行等の行を選択し、前記のタッチパッド上の始点とタッチ中の点の間の移動量と移動方向を計測し、メモリーに記憶しつつ、上下又は左右方向へ前記一次元タッチパッドのなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の前記識別体あるいは文字・文字種・変換候補・予測候補を表示画面で左右あるいは上下方向へ動かし、前記タッチパッドからタッチ中の指のリリース離しにより、目当ての行内の文字・文字種・変換予測を含む選択候補を順あるいは逆方向にて選択し、テンキーのみをベースとする日本語入力システムで求められる打鍵数を大幅に削減し、携帯電話の軽薄短小性やコストを損ねずに、テンキー操作の簡便性・軽快性を実現しつつ、テンキーとタッチパッドの両方を駆使し、スピーディな日本語入力が可能な事を特徴とする文字入力・変換候補選択システム。
【手続補正２】
【補正対象書類名】実用新案登録請求の範囲
【補正対象項目名】請求項２
【補正方法】変更
【補正の内容】
【請求項２】
請求項１に記載の文字入力・変換候補選択システムであって、請求項１に記載の一次元タッチパッド上に、前記タッチパッドへのタッチなぞりにより表示される文字・文字種・変換候補の選択候補の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とする携帯電話用の文字入力・変換候補選択システム。
【手続補正３】
【補正対象書類名】実用新案登録請求の範囲
【補正対象項目名】請求項５
【補正方法】変更
【補正の内容】
【請求項５】
０から９までの数字に対応したテンキーと方向キーと決定等のキーを実装した日本語入力が可能な軽薄短小な記録装置用のリモコンに、変換候補選択の迅速化を目指したホイール回転体と回転機構のリプレースし、軽薄短小化・低コスト化の為の、複数の領域に分割されていない、かつ領域を特定の単一の選択候補に割り当てられていない、長手方向しかタッチ情報の検知を行わない、横と縦軸からなる二次元体の平面に於けるｘ軸とｙ軸上の点を定義される座標位置や移動量を検知する従来のタッチパッドと異なり、一次元である直線状あるいは、直線状の前記一次元タッチパッドの両端を曲げた曲線状あるいは、方向キー４の周辺部に配置可能な様にＣ文字型又は環状にデザインした、タッチパッド上のタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ中になぞり・移動している点をリアルタイムで検知しこれに対応した文字・文字種・変換候補の選択候補の表示とこれに連動させた表示切替を表示制御手段に指示するタッチ中の点の検知手段３１と、タッチした後に前記のタッチパッド２５から指をリリースし離したリリース点と始点からの移動方向と移動量を一次元移動量と移動方向の検知手段４１にて演算し文字・文字種・変換候補の選択候補を選択する為のリリース点の検知手段３２、あるいはタッチ中の点とリリース点の両者の検知を兼ねる手段と、前記の３つの検知手段３０と３１と３２で検知されたデータを記憶するタッチ始点・タッチ中の点・リリース点データ用メモリー４０、これに基づき一次元移動量と移動方向の演算を行う為の一次元移動量と移動方向の検知手段４１と、前記のタッチ中の点の検知手段３１とテンキー等のキー３４からの入力情報を踏まえた連携した前記選択候補の表示切替を行う表示出力を生成・表示管理する為の表示制御手段３３と、表示を行う表示装置と駆動回路からなる表示手段３３と、前記テンキー等の押しボタン２１の検知・管理を行うキーボタンとキー入力手段３４と、前記のキーボタンとキー入力検知手段とリリース点の検知手段３２からの選択・入力情報とタッチパッド制御手段の制御と日本語入力・変換候補選択・文字種選択手段３９の管理を行う制御手段３５と、日本語・英数字・記号からなる文字情報を入力・漢字等に変換・文字種の選択を行う日本語入力・変換候補選択・文字種選択手段３９と、入力テキスト等を記憶するメモリー３８から構成される文字入力・変換候補選択システムに於いて、片手で０から９からなる記憶装置用リモコンに実装されたキーボタンを押し、あ行・い行等の行を選択し、前記のタッチパッド上の始点とタッチ中の点との間の移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体を表示画面にリアルタイムに表示し切り替え、前記のタッチパッド上でタッチ中の現在の選択中の枠・記し・背景色等の前記識別体あるいは文字・文字種・変換候補・予測候補を上下あるいは左右方向へ動かし、前記タッチパッドからタッチ中の指のリリース離しにより、目当ての文字・文字種・候補予測を含む選択候補を順あるいは逆方向にて選択し、テンキーのみをベースとする日本語入力システムで求められる打鍵数を大幅に削減し、記録装置用リモコンの軽薄短小性やコストを損ねずに、スピーディな日本語入力が可能な事を特徴とする文字入力・変換候補選択システム。
【手続補正４】
【補正対象書類名】実用新案登録請求の範囲
【補正対象項目名】請求項６
【補正方法】変更
【補正の内容】
【請求項６】
請求項５に記載の文字入力・変換候補選択システムであって、請求項５に記載の一次元タッチパッド上に、前記タッチパッドへのタッチなぞりにより表示される文字・文字種・変換候補の選択候補の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とするリモコン用文字入力・変換候補選択システム。
【手続補正５】
【補正対象書類名】明細書
【補正対象項目名】０００４
【補正方法】変更
【補正の内容】
【０００４】本考案は、軽薄短小化のニーズが高まり薄さとコンパクトさが求められる携帯電話又は記録装置用のリモコンに於いて、これらの軽薄短小の特長を損なわず且つテンキー操作との操作面での互換性をに維持し、慣れ親しんだテンキーによる操作による短文の入力に加え、文字入力と変換候補の選択と文字種の切替えのＪＯＢをホイール回転体を使わずに効率的にスピーディに行う事が求めれられており、タッチする始点・なぞったタッチ中の点で指をリリースした位置を検知する為の一次元タッチパッドをテンキーの周辺部又は機器の側面のアキスペースに設計するものです。
０から９までの数字に対応したテンキーと方向キーと決定等のキーを実装した日本語入力が可能な軽薄短小な携帯電話またはリモコンのテンキーあるいは方向キーの周囲部に、変換候補選択の迅速化を目指したホイール回転体と回転機構のリプレースし、軽薄短小化・低コスト化の為に、複数の領域に分割されていない、かつ領域を特定の単一の選択候補に割り当てられていない、長手方向の一次元上しかタッチ情報の検知を行わない、従来の二次元上の座標を検知するタッチパッド（二次元タッチパッド）とは異なり、直線状あるいは曲線あるいは一次元体に於けるタッチ移動量と方向を検知する一次元タッチパッド３７を配し、このタッチパッドを電気的にコントロールする為のタッチパッド制御手段３６と、タッチ点を検知するタッチ始点検知手段３０と、タッチ中に移動している点をリアルタイムで検知しこれに対応した文字・文字種・変換候補の選択候補の表示とこれと連動させた表示切替を行う表示制御手段に指示するタッチ中の点の検知手段３１と、タッチした後にタッチパッドから指をリリースし離したリリース点の始点からの移動方向と移動量を一次元移動量と移動方向の検知手段にて演算し文字・文字種・変換候補の選択候補の選択を行うリリース点の検知手段３２、あるいはタッチ中の点とリリース点の両者の検知を兼ねる手段と、前記の３つの検知手段３０と３１と３２で検知された位置データを記憶するタッチ始点・タッチ中の点・リリース点データ用メモリー４０に基づき一次元移動量と移動方向の演算を行う為の一次元移動量と移動方向の検知手段４１と、タッチ中の点の検知手段３１とテンキーのキーからの入力情報を踏まえ、この情報と連携した前記文字・文字種・変換候補の選択候補の表示を行う為の表示手段への表示出力を生成・表示管理する為の表示制御手段３３と、表示を行う表示装置と駆動回路からなる表示手段３３と、テンキー等の押しボタンの検知・管理を行うキーボタンとキー入力手段３４と、前記のキーボタンとキー入力検知手段とリリース点の検知手段３２からの選択・入力情報とタッチパッド制御手段の制御と日本語入力と表示制御手段の管理を行う制御手段３５と、日本語・英数字・記号からなる文字情報を入力・漢字等に変換・文字種の選択を行う日本語入力・変換候補選択・文字種変更手段３９と、入力テキスト等を記憶するメモリー３８から構成される文字入力・変換候補選択システムに於いて、片手で０から９からなる携帯電話又はリモコンに実装されたキーボタンを押し、あ行・い行・ＡＢＣグループ等の行・グループを選択し、前記のタッチパッド上の始点とタッチ中の点から移動量と移動方向を計測しメモリーに記憶させつつ、上下又は左右方向へ前記一次元タッチパッドをなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の識別体あるいは文字・文字種・変換候補・予測候補を上下あるいは左右方向へ動かし、前記タッチパッドからタッチ中の指のリリース離しにより、目当ての文字・文字種・候補を選択し、テンキーのみをベースとする日本語入力システムで求められる打鍵数を大幅に削減し、携帯電話又はリモコンの軽薄短小性やコストを損ねずに、テンキー操作の簡便性・軽快性を実現しつつ、スピーディな日本語入力が可能な事を特徴とする文字入力・変換候補選択システムです。
テンキー周囲部に従来の静電容量を利用した、横と縦軸からなる二次元体の平面に於けるｘ軸とｙ軸上の点として定義される座標位置や移動量や方向を検知する従来のタッチパッドと異なり、一次元である直線上あるいは曲線上に於けるタッチ始点とタッチ中の移動点・指リリース点の間の移動量と順あるいは逆方向を検知する前記一次元タッチパッドを、前記携帯電話又はリモコンの左右のキャビネット端とテンキーの端との間の狭いスペース７又は６又は、当該機器の側面位置等に組み込み、タッチパッドを指でタッチし・なぞりリリース（離し）を検知し・管理するもので、テンキー操作との操作互換性を維持しつつ、日本語入力と変換候補選択と文字種の選択の迅速化と効率化を追求するものです。
利用者は、前記のテンキーを押し、あ行・ＡＢＣ等の行・グループを選択し、一次元の位置の移動方向と移動量を検知するタッチパッドをタッチし、タッチしつつ表示装置に表示される情報を切り替え、これに合わせ順又は逆方向へなぞり・リリース（離す）するとタッチしているなぞり（移動）量となぞり（移動）方向に対応した文字・文字種・変換候補の枠等による選択ができ、何回もキーを正確に押し分けずにスピーディにスマートに文字入力を可能にし、テンキー方式で求められる打鍵数の改善を軽薄短小性とコストを損なわずに実現するものです。
更に文字種の変更に於いても、現在の一般的な携帯電話で、文字種のボタンを平仮名・カタカナ・大文字英字・小文字英字・数字等を一定のループ・巡回式切り替えシステムに基づき、文字種変更ボタンで文字種を変更する度に打鍵する必要があり面倒でしたが、本考案による前記のタッチパッドの利用により迅速化が図れる。
更に変換候補の選択に於いても、本考案にて、表示手段と連動しつつ、前記タッチパッドの利用によりテンキー方式の場合の方向キーによる操作との比較で大幅な打鍵数を削減し、スピーディな変換候補選択を目指す。
以上の迅速化・効率化を現在の片手でも入力可能なテンキーシステムによる操作と互換性を図りつつ、縦長に利用する携帯電話に於いて長手方向であるｙ軸のみを検知し短手方向のｘ軸方向の検知を行わない、あるいは短手方向の僅かな幅しか検知を行わない二次元タッチパッドと前記の手段により、コストアップを抑制し、軽薄短小化を実現しつつ、文字入力・変換候補選択の大幅な効率化・スピーディ化を実現するものです。
更に携帯電話又はリモコンの方向キーの周辺位置に、直線状の一次元タッチパッドの両端を曲げ、Ｃ文字型あるいは環状に設計する事により、文字入力・変換候補選択・文字種の選択の効率化・スピーディ化を実現するものです。
【手続補正書】
【提出日】平成21年9月10日(2009.9.10)
【手続補正１】
【補正対象書類名】実用新案登録請求の範囲
【補正対象項目名】全文
【補正方法】変更
【補正の内容】
【実用新案登録請求の範囲】
【請求項１】
０から９までの数字に対応したテンキーと方向キーと決定等のキーを実装した日本語入力が可能な軽薄短小な携帯電話に、変換候補選択の迅速化を目指した携帯電話用のホイール回転体と回転機搆のリプレースを目指し、軽薄短小化・低コスト化の為の、複数の領域に分割されていない、かつ領域を特定の単一の選択候補に割り当てられていない、一次元タッチパッドの長手方向しかタッチ情報の検知を行わない、横と縦軸からなる二次元体の平面に於けるｘ軸とｙ軸上の点として定義される座標位置や座標位置の移動量を検知する従来のタッチパッドと異なり、一次元である直線状あるいは、前記の携帯電話の方向キー４の周辺部に配置可能な様に直線の前記一次元タッチパッドの両端を曲げた曲線状あるいはＣ文字型又は環状に設計した、タッチパッド３７上に於けるタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ中になぞり・移動している点をリアルタイムで検知しこれに対応した文字・文字種・変換候補の選択候補の表示とこれと連動させた表示切替を表示制御手段に指示するタッチ中の点の検知手段３１と、前記タッチパッドから指をリリースし離したリリース点の始点からの移動方向と移動量を一次元移動量と移動方向の検知手段４１にて演算し、文字・文字種・変換候補の選択候補から選択を行うリリース点の検知手段３２、あるいはタッチ中の点とリリース点の両者の検知を兼ねる手段と、前記の３つの検知手段３０と３１と３２で検知されたデータを記憶するタッチ始点・タッチ中の点・リリース点データ用メモリー４０、これに基づき一次元移動量と移動方向の演算を行う為の一次元移動量と移動方向の検知手段４１と、タッチ中の点の検知手段３１とテンキー等のキーボタン３４からの入力情報を踏まえた前記選択候補に連携した表示・表示切替を行う為の表示手段への表示出力を生成・表示管理する為の表示制御手段３３と、表示を行う表示装置と駆動回路からなる表示手段３３と、テンキー８等の押しボタンの検知・管理を行う前記キーボタンとキー入力手段３４と、前記のキーボタンとキー入力検知手段とリリース点の検知手段３２からの選択・入力情報と日本語入力と前記タッチパッドの管理と前記の表示制御手段の管理を行う制御手段３５と、日本語・英数字・記号からなる文字情報を入力・漢字等に変換・文字種の選択を行う日本語入力・変換候補選択・文字種選択手段３９と、入力テキスト等を記憶するメモリー３８から構成される文字入力・変換候補選択システムに於いて、片手で０から９からなる携帯電話に実装されたキーボタンを押し、あ行やい行等の行を選択し、前記のタッチパッド上の始点とタッチ中の点の間の移動量と移動方向を計測し、メモリーに記憶しつつ、上下又は左右方向へ前記一次元タッチパッドのなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の前記識別体あるいは文字・文字種・変換候補・予測候補を表示画面で左右あるいは上下方向へ動かし、前記タッチパッドからタッチ中の指のリリース離しにより、目当ての行内の文字・文字種・変換予測を含む選択候補を順あるいは逆方向にて選択し、テンキーのみをベースとする日本語入力システムで求められる打鍵数を大幅に削減し、携帯電話の軽薄短小性やコストを損ねずに、テンキー操作の簡便性・軽快性を実現しつつ、テンキーとタッチパッドの両方を駆使し、スピーディな日本語入力が可能な事を特徴とする文字入力・変換候補選択システム。
【請求項２】
請求項１に記載の文字入力・変換候補選択システムであって、請求項１に記載の一次元タッチパッド上に、前記タッチパッドへのタッチなぞりにより表示される文字・文字種・変換候補の選択候補の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とする携帯電話用の文字入力・変換候補選択システム。
【請求項３】
携帯電話用の文字入力・変換候補選択システムであって、一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後に前記のタッチパッド２５から指をリリースし離したリリース点の検知手段３２あるいはタッチ中の点とリリース点の両者の検知を行い手段と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１を有し、メール文の入力・編集とメール画面のスクロール機能を有する日本語入力・変換候補選択・文字種選択手段３９にてタッチパッドからのタッチ・なぞり・リリース情報を一次元移動量と移動方向の検知手段４１から受け、入力編集中のメール文を記憶したメモリー３８のデータに基づき、画面のスクロール制御を行い、前記一次元タッチパッドを上下又は左右方向へ指でタッチ・なぞり・リリース離しにより、表示画面のスピーディなスクロールが可能なことを特徴とする携帯電話用の文字入力・変換候補選択システム。
【請求項４】
請求項１に記載の文字入力・変換候補選択システムであって、請求項１に記載の直線状又は、それを曲げた曲線又はＣ文字型又は環状に設計された形状の静電容量方式の一次元タッチパッドあるいは、前記のタッチパッドの短手方向に誤検知対策等の理由から短手方向で僅かな位置の検知機能しか有さない、主として前記タッチパッドの長手方向の検知を狙いとする二次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とする携帯電話用の文字入力・変換候補選択システム。
【請求項５】
０から９までの数字に対応したテンキーと方向キーと決定等のキーを実装した日本語入力が可能な軽薄短小な記録装置用のリモコンに、変換候補選択の迅速化を目指したホイール回転体と回転機構のリプレースし、軽薄短小化・低コスト化の為の、複数の領域に分割されていない、かつ領域を特定の単一の選択候補に割り当てられていない、長手方向しかタッチ情報の検知を行わない、横と縦軸からなる二次元体の平面に於けるｘ軸とｙ軸上の点を定義される座標位置や移動量を検知する従来のタッチパッドと異なり、一次元である直線状あるいは、直線状の前記一次元タッチパッドの両端を曲げた曲線状あるいは、方向キー４の周辺部に配置可能な様にＣ文字型又は環状にデザインした、タッチパッド上のタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ中になぞり・移動している点をリアルタイムで検知しこれに対応した文字・文字種・変換候補の選択候補の表示とこれに連動させた表示切替を表示制御手段に指示するタッチ中の点の検知手段３１と、タッチした後に前記のタッチパッド２５から指をリリースし離したリリース点と始点からの移動方向と移動量を一次元移動量と移動方向の検知手段４１にて演算し文字・文字種・変換候補の選択候補を選択する為のリリース点の検知手段３２、あるいはタッチ中の点とリリース点の両者の検知を兼ねる手段と、前記の３つの検知手段３０と３１と３２で検知されたデータを記憶するタッチ始点・タッチ中の点・リリース点データ用メモリー４０、これに基づき一次元移動量と移動方向の演算を行う為の一次元移動量と移動方向の検知手段４１と、前記のタッチ中の点の検知手段３１とテンキー等のキー３４からの入力情報を踏まえた連携した前記選択候補の表示切替を行う表示出力を生成・表示管理する為の表示制御手段３３と、表示を行う表示装置と駆動回路からなる表示手段３３と、前記テンキー等の押しボタン２１の検知・管理を行うキーボタンとキー入力手段３４と、前記のキーボタンとキー入力検知手段とリリース点の検知手段３２からの選択・入力情報とタッチパッド制御手段の制御と日本語入力・変換候補選択・文字種選択手段３９の管理を行う制御手段３５と、日本語・英数字・記号からなる文字情報を入力・漢字等に変換・文字種の選択を行う日本語入力・変換候補選択・文字種選択手段３９と、入力テキスト等を記憶するメモリー３８から構成される文字入力・変換候補選択システムに於いて、片手で０から９からなる記憶装置用リモコンに実装されたキーボタンを押し、あ行・い行等の行を選択し、前記のタッチパッド上の始点とタッチ中の点との間の移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体を表示画面にリアルタイムに表示し切り替え、前記のタッチパッド上でタッチ中の現在の選択中の枠・記し・背景色等の前記識別体あるいは文字・文字種・変換候補・予測候補を上下あるいは左右方向へ動かし、前記タッチパッドからタッチ中の指のリリース離しにより、目当ての文字・文字種・候補予測を含む選択候補を順あるいは逆方向にて選択し、テンキーのみをベースとする日本語入力システムで求められる打鍵数を大幅に削減し、記録装置用リモコンの軽薄短小性やコストを損ねずに、スピーディな日本語入力が可能な事を特徴とする文字入力・変換候補選択システム。
【請求項６】
請求項５に記載の文字入力・変換候補選択システムであって、請求項５に記載の一次元タッチパッド上に、前記タッチパッドへのタッチなぞりにより表示される文字・文字種・変換候補の選択候補の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とするリモコン用文字入力・変換候補選択システム。
【請求項７】
請求項５に記載の文字入力・変換候補選択システムであって、請求項５に記載の直線状又は、それを曲げた曲線又はＣ文字型又は環状に設計された形状の静電容量方式の一次元タッチパッドあるいは、前記のタッチパッドの短手方向に誤操作対策等の為、短手方向に僅かな位置の検知機能しか有さない、主として前記タッチパッドの長手方向の検知を狙いとする二次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とするリモコン用の文字入力・変換候補選択システム。
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
０から９までの数字に対応したテンキーと方向キーと決定等のキーを実装した日本語入力が可能な軽薄短小な携帯電話に、変換候補選択の迅速化を目指した携帯電話用のホイール回転体と回転機構のリプレースを目指し、軽薄短小化・低コスト化の為の、複数の領域に分割されていない、かつ領域を特定の単一の選択候補に割り当てられていない、一次元タッチパッドの長手方向しかタッチ情報の検知を行わない、横と縦軸からなる二次元体の平面に於けるｘ軸とｙ軸上の点として定義される座標位置や座標位置の移動量を検知するタッチパッドと異なり、一次元である直線状あるいは、前記の携帯電話の方向キー４の周辺部に配置可能な様に直線の前記一次元タッチパッドの両端を曲げた曲線状あるいはＣ文字型又は環状に設計した、タッチパッド３７上に於けるタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ中になぞり・移動している点をリアルタイムで検知しこれに対応した文字・文字種・変換候補の選択候補の表示とこれと連動させた表示切替を表示制御手段に指示するタッチ中の点の検知手段３１と、前記タッチパッドから指をリリースし離したリリース点の始点からの移動方向と移動量を一次元移動量と移動方向の検知手段４１にて演算し、文字・文字種・変換候補の選択候補から選択を行うリリース点の検知手段３２、あるいはタッチ中の点とリリース点の両者の検知を兼ねる手段と、前記の３つの検知手段３０と３１と３２で検知されたデータを記憶するタッチ始点・タッチ中の点・リリース点データ用メモリー４０、これに基づき一次元移動量と移動方向の演算を行う為の一次元移動量と移動方向の検知手段４１と、タッチ中の点の検知手段３１とテンキー等のキーボタン３４からの入力情報を踏まえた前記選択候補に連携した表示・表示切替を行う為の表示手段への表示出力を生成・表示管理する為の表示制御手段３３と、表示を行う表示装置と駆動回路からなる表示手段３３と、テンキー８等の押しボタンの検知・管理を行う前記キーボタンとキー入力手段３４と、前記のキーボタンとキー入力検知手段とリリース点の検知手段３２からの選択・入力情報と日本語入力と前記タッチパッドの管理と前記の表示制御手段の管理を行う制御手段３５と、日本語・英数字・記号からなる文字情報を入力・漢字等に変換・文字種の選択を行う日本語入力・変換候補選択・文字種選択手段３９と、入力テキスト等を記憶するメモリー３８から構成される文字入力・変換候補選択システムに於いて、片手で０から９からなる携帯電話に実装されたキーボタンを押し、あ行やい行等の行を選択し、前記のタッチパッド上の始点とタッチ中の点の間の移動量と移動方向を計測し、メモリーに記憶しつつ、上下又は左右方向へ前記一次元タッチパッドのなぞり、前記のタッチ中の点に対応した文字・文字種・変換候補・予測候補と現在選択している事を示す枠・記し・背景色等の識別体をリアルタイムに表示し切り替え、前記のタッチパッド上でタッチ中の現在の選択中の枠・記し・背景色等の前記識別体あるいは文字・文字種・変換候補・予測候補を表示画面で左右あるいは上下方向へ動かし、前記タッチパッドからタッチ中の指のリリース離しにより、目当ての行内の文字・文字種・変換予測を含む選択候補を順あるいは逆方向にて選択し、テンキーのみをベースとする日本語入力システムで求められる打鍵数を大幅に削減し、携帯電話の軽薄短小性やコストを損ねずに、テンキー操作の簡便性・軽快性を実現しつつ、テンキーとタッチパッドの両方を駆使し、スピーディな日本語入力が可能な事を特徴とする文字入力・変換候補選択システム。
【請求項２】
請求項１に記載の文字入力・変換候補選択システムであって、一次元タッチパッドの長手方向しかタッチ情報の検知を行わない、横と縦軸からなる二次元体の平面に於けるｘ軸とｙ軸上の点として定義される座標位置や座標位置の移動量を検知するタッチパッドと異なり、一次元である直線状あるいは、前記の携帯電話の方向キー４の周辺部に配置可能な様に直線の前記一次元タッチパッドの両端を曲げた曲線状あるいはＣ文字型又は環状に設計した、タッチパッド３７上に於けるタッチ始点とタッチ中の移動点・指リリース点の間の移動量と順あるいは逆方向を検知する一次元タッチパッド３７、あるいは、前記のタッチパッドの短手方向に誤検知対策等の理由から短手方向で僅かな位置の検知機能しか有さない主として前記タッチパッドの長手方向の検知を狙いとする二次元タッチパッド上に、前記タッチパッドへのタッチなぞりにより表示される文字・文字種・変換候補の選択候補の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とする携帯電話用の文字入力・変換候補選択システム。
【請求項３】
携帯電話用の文字入力・変換候補選択システムであって、一次元タッチパッド３７と、このタッチパッドを電気的にコントロールする為のタッチパッド制御手段３６と、タッチ点を検知するタッチ始点検知手段３０と、タッチ後にタッチ中に移動している点をリアルタイムで検知し表示手段と連動させるタッチ中の点の検知手段３１と、タッチした後に前記のタッチパッド２５から指をリリースし離したリリース点の検知手段３２あるいはタッチ中の点とリリース点の両者の検知を行う手段と、前記の３つの検知手段３０と３１と３２で検知された位置データを記憶するタッチ始点・タッチ中の点・リリース点データ用メモリー４０、これに基づき一次元移動量と移動方向の演算を行う為の一次元移動量と移動方向の検知手段４１を有し、メール文の入力・編集とメール画面のスクロール機能を有する日本語入力・変換候補選択・文字種選択手段３９にてタッチパッドからのタッチ・なぞり・リリース情報を一次元移動量と移動方向の検知手段４１から受け、入力編集中のメール文を記憶したメモリー３８のデータに基づき、画面のスクロール制御を行い、前記一次元タッチパッドを上下又は左右方向へ指でタッチ・なぞり・リリース離しにより、表示画面のスピーディなスクロールが可能なことを特徴とする携帯電話用の文字入力・変換候補選択システム。
【請求項４】
請求項１に記載の文字入力・変換候補選択システムであって、一次元タッチパッドの長手方向しかタッチ情報の検知を行わない、横と縦軸からなる二次元体の平面に於けるｘ軸とｙ軸上の点として定義される座標位置や座標位置の移動量を検知するタッチパッドと異なり、一次元である直線状あるいは、前記の携帯電話の方向キー４の周辺部に配置可能な様に直線の前記一次元タッチパッドの両端を曲げた曲線状あるいはＣ文字型又は環状に設計した、タッチパッド３７上に於けるタッチ始点とタッチ中の移動点・指リリース点の間の移動量と順あるいは逆方向を検知する一次元タッチパッド３７、あるいは、前記のタッチパッドの短手方向に誤検知対策等の理由から短手方向で僅かな位置の検知機能しか有さない、主として前記タッチパッドの長手方向の検知を狙いとする二次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とする携帯電話用の文字入力・変換候補選択システム。
【請求項５】
０から９までの数字に対応したテンキーと方向キーと決定等のキーを実装した日本語入力が可能な軽薄短小な記録装置用のリモコンに、変換候補選択の迅速化を目指したホイール回転体と回転機構のリプレースし、軽薄短小化・低コスト化の為の、複数の領域に分割されていない、かつ領域を特定の単一の選択候補に割り当てられていない、長手方向しかタッチ情報の検知を行わない、横と縦軸からなる二次元体の平面に於けるｘ軸とｙ軸上の点で定義される座標位置や移動量を検知するタッチパッドと異なり、一次元である直線状あるいは、直線状の一次元タッチパッドの両端を曲げた曲線状あるいは、方向キー４の周辺部に配置可能な様にＣ文字型又は環状にデザインした、タッチパッド上のタッチ始点とタッチ中の移動点・指リリース点の間の移動量と順あるいは逆方向を検知する一次元タッチパッド３７を配し、このタッチパッドを電気的にコントロールする為のタッチパッド制御手段３６と、タッチ点を検知するタッチ始点検知手段３０と、タッチ中になぞり・移動している点をリアルタイムで検知しこれに対応した文字・文字種・変換候補の選択候補の表示とこれに連動させた表示切替を表示制御手段に指示するタッチ中の点の検知手段３１と、タッチした後に前記のタッチパッド２５から指をリリースし離したリリース点と始点からの移動方向と移動量を一次元移動量と移動方向の検知手段４１にて演算し文字・文字種・変換候補の選択候補を選択する為のリリース点の検知手段３２、あるいはタッチ中の点とリリース点の両者の検知を兼ねる手段と、前記の３つの検知手段３０と３１と３２で検知されたデータを記憶するタッチ始点・タッチ中の点・リリース点データ用メモリー４０、これに基づき一次元移動量と移動方向の演算を行う為の一次元移動量と移動方向の検知手段４１と、前記のタッチ中の点の検知手段３１とテンキー等のキー３４からの入力情報を踏まえた連携した前記選択候補の表示切替を行う表示出力を生成・表示管理する為の表示制御手段３３と、表示を行う表示装置と駆動回路からなる表示手段３３と、前記テンキー等の押しボタン２１の検知・管理を行うキーボタンとキー入力手段３４と、前記のキーボタンとキー入力検知手段とリリース点の検知手段３２からの選択・入力情報とタッチパッド制御手段の制御と日本語入力・変換候補選択・文字種選択手段３９の管理を行う制御手段３５と、日本語・英数字・記号からなる文字情報を入力・漢字等に変換・文字種の選択を行う日本語入力・変換候補選択・文字種選択手段３９と、入力テキスト等を記憶するメモリー３８から構成される文字入力・変換候補選択システムに於いて、片手で０から９からなる記憶装置用リモコンに実装されたキーボタンを押し、あ行・い行等の行を選択し、前記のタッチパッド上の始点とタッチ中の点との間の移動量と移動方向を計測し、メモリーに記憶しつつ、上下又は左右方向へ前記一次元タッチパッドをなぞり、前記のタッチ中の点に対応した文字・文字種・変換候補・予測候補と現在選択している事を示す枠・記し・背景色等の識別体を表示画面にリアルタイムに表示し切り替え、前記のタッチパッド上でタッチ中の現在の選択中の枠・記し・背景色等の前記識別体あるいは文字・文字種・変換候補・予測候補を上下あるいは左右方向へ動かし、前記タッチパッドからタッチ中の指のリリース離しにより、目当ての文字・文字種・候補予測を含む選択候補を順あるいは逆方向にて選択し、テンキーのみをベースとする日本語入力システムで求められる打鍵数を大幅に削減し、記録装置用リモコンの軽薄短小性やコストを損ねずに、スピーディな日本語入力が可能な事を特徴とする文字入力・変換候補選択システム。
【請求項６】
請求項５に記載の文字入力・変換候補選択システムであって、前記の一次元タッチパッド上に、前記タッチパッドへのタッチなぞりにより表示される文字・文字種・変換候補の選択候補の切り替えに対応した間隔に相当するタッチパッド上の一定間隔の位置に、突起あるいは凹凸を形成し、指で突起あるいは凹凸を形成した前記タッチパッド上をなぞり、前記の一次元タッチパッドの長手方向を指でなぞった移動量を突起あるいは凹凸の数により、なぞり量を触覚で利用者が確認でき、スピーディな文字入力が可能なる事を特徴とするリモコン用文字入力・変換候補選択システム。
【請求項７】
請求項５に記載の文字入力・変換候補選択システムであって、直線状又はそれを曲げた曲線又はＣ文字型又は環状に設計された形状の静電容量方式の一次元タッチパッドあるいは、前記のタッチパッドの短手方向に誤検知対策等の理由から短手方向で僅かな位置の検知機能しか有さない主として前記タッチパッドの長手方向の検知を狙いとする二次元タッチパッドを採用し、上下又は左右方向へ指でタッチ・なぞり・リリース離しにより、テンキーとタッチパッドの両方を駆使し、スピーディな文字入力、文字種の変更、変換候補・予測候補の選択が可能なことを特徴とするリモコン用の文字入力・変換候補選択システム。